(57)【要約】【課題】導光板の熱膨張による変形に起因する表示品位の低下を抑えた曲面ディスプレイを備えた車載デバイスを提供する。【解決手段】車載デバイスは、曲面ディスプレイと、曲面ディスプレイの周縁に配置された枠体を有する、車両に曲面ディスプレイを取り付けるための本体部品と、を備える。曲面ディスプレイは、曲面状の表示パネルと、表示パネルの背面側に配置され、表示パネルと同じ方向に向かって突出するように湾曲した導光板と、表示パネルと導光板との間で表示パネルを背面側から支持する支持枠をもつ保持フレームと、導光板の背面側に配置された背面板をもつ下フレームと、支持枠と背面板との間に配置され、導光板の両端部を保持するクッション部材と、を有する。枠体は、曲面ディスプレイの周縁で第１方向に延在する第２枠縁部分を含み、第２枠縁部分は、表示パネルと同じ方向に向かって突出するように湾曲した第１曲げ領域を含む。【選択図】図１
2017181819.tif 000002
【特許請求の範囲】
【請求項１】
曲面ディスプレイと、
前記曲面ディスプレイの周縁に配置された枠体を有する、車両に前記曲面ディスプレイを取り付けるための本体部品と、
を備える車載デバイスであって、
前記曲面ディスプレイは、
第１方向における中央側が両端側より表示面側または背面側に突出するように湾曲して形成されている曲面状の表示パネルと、
前記表示パネルの背面側に配置され、前記表示パネルと同じ方向に向かって突出するように湾曲した形状を有する導光板と、
前記表示パネルと前記導光板との間で前記表示パネルを背面側から支持する支持枠をもつ保持フレームと、
前記導光板の背面側に配置された背面板をもつ下フレームと、
前記支持枠と前記背面板との間に配置され、前記導光板の両端部を保持するクッション部材と、
を有し、
前記本体部品の前記枠体は、前記曲面ディスプレイの周縁で前記第１方向に直交する第２方向に延在する第１枠縁部分と、前記曲面ディスプレイの周縁で前記第１方向に延在する第２枠縁部分と、を含み、
前記第２枠縁部分は、前記表示パネルと同じ方向に向かって突出するように湾曲した第１曲げ領域を含む、
ことを特徴とする車載デバイス。
【請求項２】
曲面ディスプレイと、
前記曲面ディスプレイの周縁に配置された枠体を有する、車両に前記曲面ディスプレイを取り付けるための本体部品と、
を備える車載デバイスであって、
前記曲面ディスプレイは、
第１方向における中央側が両端側より表示面側または背面側に突出するように湾曲して形成されている曲面状の表示パネルと、
前記表示パネルの背面側に配置され、前記表示パネルと同じ方向に向かって突出するように湾曲した形状を有する導光板と、
前記表示パネルと前記導光板との間で前記表示パネルを背面側から支持すると共に前記表示パネルと同じ方向に向かって突出するように湾曲した形状を有する支持枠、をもつ保持フレームと、
前記導光板の背面側に配置され前記表示パネルと同じ方向に向かって突出するように湾曲した形状を有する背面板、をもつ下フレームと、
を備え、
前記支持枠は第１曲率半径で湾曲しており、前記導光板は第２曲率半径で湾曲しており、前記背面板は第３曲率半径で湾曲しており、
前記支持枠の曲率半径と、前記導光板の曲率半径と、前記背面板の曲率半径とは、互いに異なっていて、
前記本体部品の前記枠体は、前記曲面ディスプレイの周縁で前記第１方向に直交する第２方向に延在する第１枠縁部分と、前記曲面ディスプレイの周縁で前記第１方向に延在する第２枠縁部分と、を含み、
前記第２枠縁部分は、前記表示パネルと同じ方向に向かって突出するように湾曲した第１曲げ領域を含む、
ことを特徴とする車載デバイス。
【請求項３】
前記表示パネルは、前記第１方向における中央側が両端側より表示面側または背面側に突出するように湾曲した第１基板と、
前記第１基板に対向して配置され、前記第１基板と同じ方向に向かって突出するように湾曲した第２基板と、
前記第１基板と前記第２基板とを貼り合わせるシール材と、を含み、
前記シール材は、前記第１枠縁部分に対応して配置されると共に前記第２方向に延在する第１シール部と、前記第２枠縁部分に対応して配置されると共に前記第１方向に延在する第２シール部と、を含む、
ことを特徴とする請求項１または２に記載の車載デバイス。
【請求項４】
前記シール材は、前記第１シール部と前記第１方向に間隔を空けて配置された第３シール部を含み、
前記第１方向において前記第１シール部と前記第３シール部との間となる領域に、前記第１曲げ領域が位置している、
ことを特徴とする請求項３に記載の車載デバイス。
【請求項５】
前記第２枠縁部分は、平面視で前記第２シール部と重なっている、
ことを特徴とする請求項３に記載の車載デバイス。
【請求項６】
前記第１枠縁部分は、平面視で前記第１シール部と重なっている、
ことを特徴とする請求項３に記載の車載デバイス。
【請求項７】
前記第１曲げ領域は、前記表示パネルの中心よりも前記第１シール部寄りに位置する、
ことを特徴とする請求項３に記載の車載デバイス。
【請求項８】
前記第１曲げ領域は、前記第１シール部から前記表示パネルの中心までの距離の半分よりも小さい距離だけ前記第１シール部から離れて位置する、
ことを特徴とする請求項３に記載の車載デバイス。
【請求項９】
前記第２枠縁部分は、前記第１曲げ領域よりも前記第１シール部寄りに配置された第２曲げ領域を有し、
前記第２曲げ領域は、前記第１曲げ領域と反対方向に向かって突出するように湾曲している、
ことを特徴とする請求項３に記載の車載デバイス。
【発明の詳細な説明】
【技術分野】
【０００１】
本発明は、曲面ディスプレイを備えた車載デバイスに関する。
【背景技術】
【０００２】
近年、表示面が湾曲した形状を有する曲面形状を有する曲面ディスプレイが開発されている。特許文献１には、同一の曲率半径で形成されている上フレームと、導光板と、下フレームとが組み込まれた曲面形状を有する曲面ディスプレイが開示されている。
【先行技術文献】
【特許文献】
【０００３】
【特許文献１】特開２０１５−１９７６８０号公報
【発明の概要】
【発明が解決しようとする課題】
【０００４】
表示面がフラットな形状を有するフラットディスプレイでは、導光板の熱膨張により平面方向に導光板が変形するが、曲面形状を有する曲面ディスプレイでは、曲面ディスプレイの厚み方向に導光板が変形し易くなる。導光板が厚み方向に変形すると、表示パネルに圧力が加わり、表示品位の低下につながる可能性がある。
【０００５】
本発明は、上記課題に鑑みて為されたものであり、導光板の熱膨張による変形に起因する表示品位の低下を抑えることができる曲面ディスプレイを備えた車載デバイスを提供することにある。
【課題を解決するための手段】
【０００６】
上記課題を解決するために、本発明の第１の車載デバイスは、曲面ディスプレイと、前記曲面ディスプレイの周縁に配置された枠体を有する、車両に前記曲面ディスプレイを取り付けるための本体部品と、を備える車載デバイスであって、前記曲面ディスプレイは、第１方向における中央側が両端側より表示面側または背面側に突出するように湾曲して形成されている曲面状の表示パネルと、前記表示パネルの背面側に配置され、前記表示パネルと同じ方向に向かって突出するように湾曲した形状を有する導光板と、前記表示パネルと前記導光板との間で前記表示パネルを背面側から支持する支持枠をもつ保持フレームと、前記導光板の背面側に配置された背面板をもつ下フレームと、前記支持枠と前記背面板との間に配置され、前記導光板の両端部を保持するクッション部材と、を有し、前記本体部品の前記枠体は、前記曲面ディスプレイの周縁で前記第１方向に直交する第２方向に延在する第１枠縁部分と、前記曲面ディスプレイの周縁で前記第１方向に延在する第２枠縁部分と、を含み、前記第２枠縁部分は、前記表示パネルと同じ方向に向かって突出するように湾曲した第１曲げ領域を含む。
【０００７】
本発明の第２の車載デバイスは、曲面ディスプレイと、前記曲面ディスプレイの周縁に配置された枠体を有する、車両に前記曲面ディスプレイを取り付けるための本体部品と、
を備える車載デバイスであって、前記曲面ディスプレイは、第１方向における中央側が両端側より表示面側または背面側に突出するように湾曲して形成されている曲面状の表示パネルと、前記表示パネルの背面側に配置され、前記表示パネルと同じ方向に向かって突出するように湾曲した形状を有する導光板と、前記表示パネルと前記導光板との間で前記表示パネルを背面側から支持すると共に前記表示パネルと同じ方向に向かって突出するように湾曲した形状を有する支持枠、をもつ保持フレームと、前記導光板の背面側に配置され前記表示パネルと同じ方向に向かって突出するように湾曲した形状を有する背面板、をもつ下フレームと、を備え、前記支持枠は第１曲率半径で湾曲しており、前記導光板は第２曲率半径で湾曲しており、前記背面板は第３曲率半径で湾曲しており、前記支持枠の曲率半径と、前記導光板の曲率半径と、前記背面板の曲率半径とは、互いに異なっていて、前記本体部品の前記枠体は、前記曲面ディスプレイの周縁で前記第１方向に直交する第２方向に延在する第１枠縁部分と、前記曲面ディスプレイの周縁で前記第１方向に延在する第２枠縁部分と、を含み、前記第２枠縁部分は、前記表示パネルと同じ方向に向かって突出するように湾曲した第１曲げ領域を含む。
【発明の効果】
【０００８】
本発明に係る曲面ディスプレイを備えた車載デバイスによれば、曲面形状を有する曲面ディスプレイにおいて導光板の熱膨張による変形に起因する表示品位の低下を抑えることができる。
【図面の簡単な説明】
【０００９】
【図１】第１実施形態に係る曲面ディスプレイの断面図である。
【図２】各実施形態に係る曲面ディスプレイの平面図である。
【図３】第１実施形態に係る導光板の熱膨張について説明する図である。
【図４】第２実施形態に係る曲面ディスプレイの断面図である。
【図５】第２実施形態に係る導光板の熱膨張について説明する図である。
【図６】第３実施形態に係る曲面ディスプレイの断面図である。
【図７】第３実施形態に係る導光板の熱膨張について説明する図である。
【図８】第４実施形態に係る曲面ディスプレイの断面図である。
【図９】第４実施形態に係る導光板の熱膨張について説明する図である。
【図１０】第５実施形態に係る曲面ディスプレイの断面図である。
【図１１】第６実施形態に係る曲面ディスプレイの断面図である。
【図１２】図２に示すＡ−Ａ線に沿った表示パネルの断面を示す断面図である。
【図１３】図１に示す曲面ディスプレイを搭載した車載デバイスを、車両に搭載した例を示す概略図である。
【図１４】車載デバイスがＣＩＤとして用いられる例を示した正面図である。
【図１５】図１４に示す車載デバイスの側面図である。
【図１６】曲面ディスプレイ中のシール材と枠体の平面図である。
【図１７】図１６のＤ−Ｄ断面図である。
【図１８】図１７に対応する断面において、枠体の変形例を示す断面図である。
【図１９】図１７に対応する断面において、第１曲げ領域の配置の変形例を示す断面図である。
【図２０】曲面ディスプレイの他の適用例を示すブロック図である。
【図２１】曲面ディスプレイのさらに別の適用例を示すブロック図である。
【発明を実施するための形態】
【００１０】
［第１実施形態］
以下、本発明の実施形態について、図面を用いて説明する。本発明の実施形態では、液晶曲面ディスプレイを例に挙げるが、本発明に係る曲面ディスプレイは液晶曲面ディスプレイに限定されるものではなく、例えば有機ＥＬ曲面ディスプレイ等であってもよい。
【００１１】
図１は、第１実施形態に係る曲面形状を有する曲面ディスプレイ１の断面図である。図１は、図２に示す曲面ディスプレイ１の平面構成において、切断線Ａ−Ａ´で切断した場合の断面構成を示している。なお、以降の各実施形態において示す断面図も図１におけるＡ−Ａ´断面を示すものとする。図１に示すように、第１実施形態に係る曲面ディスプレイ１は、表示パネル２と、導光板３と、保持フレーム４と、下フレーム５と、上フレーム６とを含んで構成されている。
【００１２】
表示パネル２は、図１２を参照して後述するように、ＴＦＴ基板１００と、ＣＦ基板（対向基板）２００と、両基板間に挟持される液晶層３００とを含んで構成されている。
【００１３】
導光板３は、光源（図示せず）から照射される光を表示面側から表示パネル２へ向けて出射する。なお、導光板３の背面側には反射シートが配置されており、導光板３の表示面側には光学シートが配置されていてもよい。
【００１４】
保持フレーム４は、表示面側から見て矩形の枠状であり、Ｌ字状またはＴ字状の断面を有している。保持フレーム４は、表示パネル２と導光板３との間に配置され、表示パネル２の周縁を背面側から支持する支持枠４ａを含んでいる。
【００１５】
下フレーム５は、導光板３の背面側を覆うように配置され導光板３を支持する背面板５ａを含んでいる。
【００１６】
上フレーム６は、表示面側から見て矩形の枠状であり、表示パネル２の周縁を表示面側から覆うように配置されている。
【００１７】
第１実施形態に係る曲面ディスプレイ１は、表示パネル２が、中央側が両端側より表示面側に突出するように湾曲して形成されている曲面形状を有する曲面ディスプレイである。また、導光板３は、下フレーム５に固定されずに下フレーム５の背面板５ａの表示面側に載置されている。
【００１８】
図３は、第１実施形態に係る導光板３の熱膨張について説明する図である。導光板３が、中央側が両端側より表示面側に突出するように湾曲して形成されており、導光板３が下フレーム５に固定されていない場合には、導光板３の熱膨張により導光板３の両端部が曲面ディスプレイ１の厚み方向に伸縮し易くなる。例えば、図３に示すように、導光板３の両端部が表示面側方向（図３における上矢印方向）と、背面側方向（図３における下矢印方向）とに伸縮し易くなる。図３に示すように、導光板３の両端部が表示面側方向及び背面側方向に伸縮すると、導光板３の両端部が保持フレーム４または下フレーム５に干渉し易くなり、その結果表示パネル２に圧力が加わり表示品位の低下につながる可能性がある。そこで、第１実施形態では導光板３の両端部の伸縮を吸収するために、導光板３の両端部と下フレーム５の背面板５ａとの間、導光板３の両端部と保持フレーム４の支持枠４ａとの間にクリアランスを設けている。
【００１９】
具体的には、図１に示すように、保持フレーム４の支持枠４ａは、中央側が両端側より表示面側に突出するように、第１曲率半径で湾曲して形成されている。また、導光板３は、中央側が両端側より表示面側に突出するように、第２曲率半径で湾曲して形成されている。また、下フレーム５の背面板５ａは、中央側が両端側より表示面側に突出するように、第３曲率半径で湾曲して形成されている。そして、第１曲率半径と、第２曲率半径と、第３曲率半径とは、この順に小さくなっている（第１曲率半径＞第２曲率半径＞第３曲率半径）。
【００２０】
このように、保持フレーム４の支持枠４ａと、導光板３と、下フレーム５の背面板５ａとを、それぞれの曲率半径を異ならせて湾曲して形成することで、導光板３の両端部と保持フレーム４の支持枠４ａとの間、及び導光板３の両端部と下フレーム５の背面板５ａとの間に、導光板３の変形（伸縮）を吸収し得るクリアランスを設けている。
【００２１】
なお、表示パネル２及び上フレーム６それぞれの曲率半径は、保持フレーム４の支持枠４ａの第１曲率半径と同一であってもよい。
【００２２】
［第２実施形態］
図４は、第２実施形態に係る曲面ディスプレイ１の断面図である。第２実施形態に係る曲面ディスプレイ１は、第１実施形態に係る曲面ディスプレイ１とは、中央側が両端側より背面側に突出するように湾曲して形成されている点に差異があることを除けば、同一のものである。従って、第１実施形態と同等の構成には同符号を付し、重複する説明は省略するものとする。
【００２３】
第２実施形態に係る曲面ディスプレイ１では、表示パネル２が、中央側が両端側より背面側に突出するように湾曲して形成されている。また、導光板３は、下フレーム５に固定されずに下フレーム４の背面板５ａの表示面側に載置されている。
【００２４】
図５は、第２実施形態に係る導光板３の熱膨張について説明する図である。導光板３が、中央側が両端側より背面側に突出するように湾曲して形成されており、導光板３の両端部が固定されていない場合には、導光板３の熱膨張により導光板３の両端部が曲面ディスプレイ１の厚み方向に伸縮し易くなる。例えば、図５に示すように、導光板３の両端部が表示面側方向（図５における上矢印方向）と、背面側方向（図５における下矢印方向）とに伸縮し易くなる。図５に示すように、導光板３の両端部が表示面側方向及び背面側方向に伸縮すると、導光板３の両端部が保持フレーム４または下フレーム５に干渉し易くなり、その結果表示パネル２に圧力が加わり表示品位の低下につながる可能性がある。そこで、第２実施形態では導光板３の両端部の伸縮を吸収するために、導光板３の両端部と下フレーム５の背面板５ａとの間、導光板３の両端部と保持フレーム４の支持枠４ａとの間にクリアランスを設けている。
【００２５】
具体的には、図４に示すように、保持フレーム４の支持枠４ａは、中央側が両端側より背面側に突出するように、第１曲率半径で湾曲して形成されている。また、導光板３は、中央側が両端側より背面側に突出するように、第２曲率半径で湾曲して形成されている。また、下フレーム５の背面板５ａは、中央側が両端側より背面側に突出するように、第３曲率半径で湾曲して形成されている。そして、第１曲率半径と、第２曲率半径と、第３曲率半径とは、この順に大きくなっている（第１曲率半径＜第２曲率半径＜第３曲率半径）。
【００２６】
このように、保持フレーム４の支持枠４ａと、導光板３と、下フレーム５の背面板５ａとを、それぞれの曲率半径を異ならせて湾曲して形成することで、導光板３の両端部と保持フレーム４の支持枠４ａとの間、及び導光板３の両端部と下フレーム５の背面板５ａとの間に、導光板３の変形（伸縮）を吸収し得るクリアランスを設けている。
【００２７】
［第３実施形態］
図６は、第３実施形態に係る曲面ディスプレイ１の断面図である。第３実施形態に係る曲面ディスプレイ１は、第１実施形態に係る曲面ディスプレイ１とは、導光板１３の端部が保持されている点に差異があることを除けば、同一のものである。従って、第１実施形態と同等の構成には同符号を付し、重複する説明は省略するものとする。
【００２８】
第３実施形態に係る曲面ディスプレイ１では、表示パネル２が、中央側が両端側より表示面側に突出するように湾曲して形成されている。また、導光板３の両端部は、保持部材７により保持されている。保持部材７は、導光板３の端部を受け入れる溝７ａを有している。保持部材７は、例えばクッション部材等であって、導光板３の両端部を挟み込むようにして導光板３を保持フレーム４と下フレーム５との間で保持している。なお、保持部材７は、ねじや嵌合部材等であってもよく、導光板３の両端部と下フレーム５とを固定してもよい。保持部材７は、導光板３の周囲を囲うように４辺に配置されてもよく、この場合、導光板３における湾曲した端部を受け入れる溝７ａは、導光板３と同一の曲率半径で湾曲している。
【００２９】
図７は、第３実施形態に係る導光板３の熱膨張について説明する図である。導光板３が、中央側が両端側より表示面側に突出するように湾曲して形成されており、導光板３の両端部が保持部材７により保持されている場合には、導光板３の熱膨張により導光板３の中央部が曲面ディスプレイ１の厚み方向に伸縮し易くなる。例えば、図７に示すように、導光板３の中央部が表示面側方向（図７における上矢印方向）と、背面側方向（図７における下矢印方向）とに伸縮し易くなる。図７に示すように、導光板３の中央部が表示面側方向及び背面側方向に伸縮すると、導光板３の中央部が保持フレーム４または下フレーム５に干渉し易くなり、その結果表示パネル２に圧力が加わり表示品位の低下につながる可能性がある。そこで、第３実施形態では導光板３の中央部の伸縮を吸収するために、導光板３の中央部と下フレーム５の背面板５ａとの間、導光板３の中央部と保持フレーム４の支持枠４ａとの間にクリアランスを設けている。
【００３０】
具体的には、図６に示すように、保持フレーム４の支持枠４ａは、中央側が両端側より表示面側に突出するように、第１曲率半径で湾曲して形成されている。また、導光板３は、中央側が両端側より表示面側に突出するように、第２曲率半径で湾曲して形成されている。また、下フレーム５の背面板５ａは、中央側が両端側より表示面側に突出するように、第３曲率半径で湾曲して形成されている。そして、第１曲率半径と、第２曲率半径と、第３曲率半径とは、この順に大きくなっている（第１曲率半径＜第２曲率半径＜第３曲率半径）。
【００３１】
このように、保持フレーム４の支持枠４ａと、導光板３と、下フレーム５の背面板５ａとを、それぞれの曲率半径を異ならせて湾曲して形成することで、導光板３の中央部と保持フレーム４の支持枠４ａとの間、及び導光板３の中央部と下フレーム５の背面板５ａとの間に、導光板３の変形（伸縮）を吸収し得るクリアランスを設けている。
【００３２】
［第４実施形態］
図８は、第４実施形態に係る曲面ディスプレイ１の断面図である。第４実施形態に係る曲面ディスプレイ１は、第３実施形態に係る曲面ディスプレイ１とは、中央側が両端側より背面側に突出するように湾曲して形成されている点に差異があることを除けば、同一のものである。従って、第３実施形態と同等の構成には同符号を付し、重複する説明は省略するものとする。
【００３３】
第４実施形態に係る曲面ディスプレイ１では、表示パネル２が、中央側が両端側より背面側に突出するように湾曲して形成されている。また、導光板３の両端部は、保持部材７により保持されている。
【００３４】
図９は、第４実施形態に係る導光板３の熱膨張について説明する図である。導光板３が、中央側が両端側より背面側に突出するように湾曲して形成されており、導光板３の両端部が保持部材７により保持されている場合には、導光板３の熱膨張により導光板３の中央部が曲面ディスプレイ１の厚み方向に伸縮し易くなる。例えば、図９に示すように、導光板３の中央部が表示面側方向（図９における上矢印方向）と、背面側方向（図９における下矢印方向）とに伸縮し易くなる。図９に示すように、導光板３の中央部が表示面側方向及び背面側方向に伸縮すると、導光板３の中央部が保持フレーム４または下フレーム５に干渉し易くなり、その結果表示パネル２に圧力が加わり表示品位の低下につながる可能性がある。そこで、第３実施形態では導光板３の中央部の伸縮を吸収するために、導光板３の中央部と下フレーム５の背面板５ａとの間、導光板３の中央部と保持フレーム４の支持枠４ａとの間にクリアランスを設けている。
【００３５】
具体的には、図８に示すように、保持フレーム４の支持枠４ａは、中央側が両端側より背面側に突出するように、第１曲率半径で湾曲して形成されている。また、導光板３は、中央側が両端側より背面側に突出するように、第２曲率半径で湾曲して形成されている。また、下フレーム５の背面板５ａは、中央側が両端側より背面側に突出するように、第３曲率半径で湾曲して形成されている。そして、第１曲率半径と、第２曲率半径と、第３曲率半径とは、この順に小さくなっている（第１曲率半径＞第２曲率半径＞第３曲率半径）。
【００３６】
このように、保持フレーム４の支持枠４ａと、導光板３と、下フレーム５の背面板５ａとを、それぞれの曲率半径を異ならせて湾曲して形成することで、導光板３の中央部と保持フレーム４の支持枠４ａとの間、及び導光板３の中央部と下フレーム５の背面板５ａとの間に、導光板３の変形（伸縮）を吸収し得るクリアランスを設けている。
【００３７】
上記実施形態１及び２に係る曲面ディスプレイ１では、導光板３の両端部は保持されていないが、これに限定されず、上記実施形態３及び４に示した、溝７ａを有する保持部材７により保持されていてもよい。保持部材７は、導光板３の両端部を挟み込むようにして導光板３を保持フレーム４の支持枠４ａと下フレーム５の背面板５ａとの間で保持する。尚、実施形態１及び２に係る曲面ディスプレイ１では、保持部材７はクッション部材であることが好ましい。これにより、導光板３の変形（伸縮）をクッション部材により吸収することもできる。クッション部材の一例としては、ゴム、ウレタンあるいは多孔質材料からなる弾性部材が挙げられる。
【００３８】
［第５実施形態］
図１０は、第５実施形態に係る曲面ディスプレイ１の断面図である。第５実施形態に係る曲面ディスプレイ１は、第３実施形態に係る曲面ディスプレイ１と同一の構成には同符号を付し、重複する説明は省略するものとする。第５実施形態に係る曲面ディスプレイ１は、保持フレーム４の支持枠４ａの第１曲率半径と、導光板３の第２曲率半径と、下フレーム５の背面板５ａの第３曲率半径とが、例えば互いに同一で、中央側が両端側より表示面側に突出するように湾曲して形成されている。また、表示パネル２が、中央側が両端側より表示面側に突出するように湾曲して形成されている。
【００３９】
導光板３の両端部は、クッション部材から成る保持部材７により保持されている。保持部材７は、導光板３の端部を受け入れる溝７ａを有している。保持部材７は、導光板３の両端部を挟み込むようにして導光板３を保持フレーム４と下フレーム５との間で保持している。また保持部材７は、導光板３の周囲を囲うように４辺に配置されてもよく、この場合、導光板３における湾曲した端部を受け入れる溝７ａは、導光板３と同一の曲率半径で湾曲している。
【００４０】
このように、導光板３をクッション部材で保持することにより、導光板３の中央部と保持フレーム４の支持枠４ａとの間、及び導光板３の中央部と下フレーム５の背面板５ａとの間に、導光板３の変形（伸縮）を吸収し得るクリアランスを設けている。
【００４１】
なお、第１曲率半径と、第２曲率半径と、第３曲率半径とが、互いに異なっていてもよい。
【００４２】
［第６実施形態］
図１１は、第６実施形態に係る曲面ディスプレイ１の断面図である。第６実施形態に係る曲面ディスプレイ１は、第４実施形態に係る曲面ディスプレイ１と同一の構成には同符号を付し、重複する説明は省略するものとする。第６実施形態に係る曲面ディスプレイ１は、保持フレーム４の支持枠４ａの第１曲率半径と、導光板３の第２曲率半径と、下フレーム５の背面板５ａの第３曲率半径とが、例えば互いに同一で、中央側が両端側より背面側に突出するように湾曲して形成されている。また、表示パネル２が、中央側が両端側より背面側に突出するように湾曲して形成されている。
【００４３】
導光板３の両端部は、クッション部材から成る保持部材７により保持されている。保持部材７は、導光板３の端部を受け入れる溝７ａを有している。保持部材７は、導光板３の両端部を挟み込むようにして導光板３を保持フレーム４と下フレーム５との間で保持している。また保持部材７は、導光板３の周囲を囲うように４辺に配置されてもよく、この場合、導光板３における湾曲した端部を受け入れる溝７ａは、導光板３と同一の曲率半径で湾曲している。
【００４４】
このように、導光板３をクッション部材で保持することにより、導光板３の中央部と保持フレーム４の支持枠４ａとの間、及び導光板３の中央部と下フレーム５の背面板５ａとの間に、導光板３の変形（伸縮）を吸収し得るクリアランスを設けている。
【００４５】
なお、第１曲率半径と、第２曲率半径と、第３曲率半径とが、互いに異なっていてもよい。
【００４６】
図１２は、表示パネル２の一例を示す断面図である。図１２に示す表示パネル２は、ＴＦＴ基板１００と、ＣＦ基板２００と、ＴＦＴ基板１００及びＣＦ基板２００の間に挟持される液晶層３００と、ＴＦＴ基板１００とＣＦ基板２００とを貼り合わせるためのシール材６０と、を含んでいる。
【００４７】
ＴＦＴ基板１００では、ガラス基板１０１上に複数のゲート線、複数のデータ線、共通電極、画素電極（不図示）が絶縁層を介して形成され、画素電極を覆うように配向膜１０５が形成されている。ガラス基板１０１のうちの導光板３側（液晶層３００側とは反対側）を向く面には偏光板１０６が貼り付けられている。
【００４８】
ＣＦ基板２００では、ガラス基板２０１上にブラックマトリクス及び着色部（例えば、赤色部、緑色部、青色部）が形成され、これらを覆うようにオーバコート層（不図示）が形成されている。オーバコート層上には配向膜２０５が形成されている。ガラス基板２０１のうちの表示面側（液晶層３００側とは反対側）を向く面には偏光板２０６が貼り付けられている。画素を構成する各部の積層構造は、周知の構成を適用することができる。
【００４９】
シール材６０は、画像を表示する表示領域の周囲を囲うように枠状に形成されている。シール材６０は、例えば光硬化性の樹脂材料から成り、光（例えば紫外線）を照射することによって硬化する。ＴＦＴ基板１００及びＣＦ基板２００の間にシール材６０を介在させてシール材６０を硬化させることにより、ＴＦＴ基板１００及びＣＦ基板２００を貼り合わせて固定することができる。シール材６０の内側のＴＦＴ基板１００及びＣＦ基板２００の間には液晶材料が注入されて封止される。なお、シール材６０の内側に液晶を注入するための開口部が、シール材６０に設けられていてもよい。後述する図１６に示すように、シール材６０は、曲げ方向となる第１方向に直交する第２方向に延在する第１シール部６１及び第３シール部６３と、第１方向に平行な方向に延在する第２シール部６２及び第４シール部６４とを含んで、枠状に形成されている。
【００５０】
液晶層３００には、液晶材料が封入されている。液晶材料は、誘電率異方性が負のネガ型液晶であってもよいし、誘電率異方性が正のポジ型液晶であってもよい。配向膜１０５，２０５は、ラビング配向処理が施された配向膜であってもよいし、光配向処理が施された光配向膜であってもよい。
【００５１】
上記の曲面ディスプレイ１は、ＴＦＴ基板１００及びＣＦ基板２００に略平行な電界を液晶層３００に印加する横電界方式の構成を有している。曲面ディスプレイ１は、例えば、ＩＰＳ（In Plane Switching）方式の構成を有している。
【００５２】
図１２に示す曲面ディスプレイ１では、第１方向において両端に位置する部分よりも、第１方向において中央に位置する部分が、表示面側に凸状になるように湾曲している。ただし、このような例に限定されず、曲面ディスプレイ１では、第１方向において両端に位置する部分よりも、第１方向において中央に位置する部分が、背面側に凸状になるように湾曲していてもよい。
【００５３】
なお、第１〜第６の実施形態に関する曲面ディスプレイ１は、テレビ、スマートフォン等の電子機器以外にも、医療用デバイス、車載デバイスなど様々な電子機器に適用可能である。以下で、第１〜第６の実施形態に関する曲面ディスプレイ１を車載デバイスとして用いられる場合について、詳しく説明することにする。
【００５４】
図１３は、曲面ディスプレイ１が組み込まれた車載デバイスを、車両２００１に搭載した例を示す概略図である。図１３に示すように、本発明に関する車載デバイスとしては、車両２００１内外の情報を投影可能な電子ミラー装置２００５や、センターインフォメイションディスプレイ（以下、ＣＩＤ（Ｃｅｎｔｅｒ  Ｉｎｆｏｒｍａｔｉｏｎ  Ｄｉｓｐｌａｙ））２００７や、クラスタ部２００８などに適用可能である。これらの車載デバイスは、運転者の安全運転を支援するのに効果的である。なお、電子ミラー装置２００５は取付部２００６を介して車室内２００２に組み込まれている。また、本発明に関する車載デバイスとしては、助手席者用ディスプレイ２００９や、後部座席者用ディスプレイ２０１０などにも適用可能である。これらの車載デバイスは、運転者以外の人が運転者の安全運転を支援するのに効果的である。また、本発明に関する車載デバイスとしては、フロントガラスとサイドガラスの間に位置するピラー部に配置される広視野確保ディスプレイ２０１１にも適用可能である。ピラー部においては、運転者にとって死角が発生する可能性がある。ピラー部に、死角に相当する車外情報を映すことができれば、運転者の安全運転を支援することができる。そこで、ピラー部に車外の情報を映すことが可能な広視野角確保ディスプレイ２０１１を配置することが好ましい。なお、これらは一例であって、車載デバイスは、車両２００１に搭載されて映像を表示する装置である限り、その適用対象は特に限定されない。
【００５５】
図１４は、車載デバイス５００が、ＣＩＤ２００７として用いられる例を示している。なお、図１４は、車載デバイス５００の正面図である。図１４に示すように、車載デバイス５００は、本体部品５０１と、本体部品５０１に保持された曲面ディスプレイ１と、を有している。車載デバイス５００は、第１方向における中央側が両端側より表示面側に突出するように湾曲して形成されている。
【００５６】
本体部品５０１は、曲面ディスプレイ１を車両２００１に取り付けるための部品であり、ハウジングや筐体とも呼ばれ得る。本体部品５０１は、曲面ディスプレイ１の周縁に配置された枠体５１０を有し、枠体５１０に囲まれた開口５０３から、曲面ディスプレイ１の映像を表示する表示面Ｓ１が露出している。図１４に示すように、本体部品５０１の枠体５１０は、第１方向（曲げ方向）に対向して配置された（第２方向に延在する）第１枠縁部分５１１及び第３枠縁部分５１３と、第１方向に直交する第２方向に対向して配置された（第１方向に延在する）第２枠縁部分５１２及び第４枠縁部分５１４と、を含んでいる。
【００５７】
図１５は、車載デバイス５００の側面図である。図１５に示すように、第２枠縁部分５１２は、曲面ディスプレイ１と同じ方向に向かって突出するように第１方向に湾曲した第１曲げ領域５１２ａを含んでいる。図１５に示す例では、曲面ディスプレイ１は、第１方向において中央に位置する部分が背面側から表示面側に向かって凸状になるように湾曲しているため、第１曲げ領域５１２ａも、第１方向において中央に位置する部分が背面側から表示面側に向かって凸状になるように湾曲している。このような形態によれば、曲面ディスプレイ１の周縁に配置された枠体５１０の少なくとも一部が曲面ディスプレイ１に沿って湾曲するため、曲面ディスプレイ１と枠体５１０との境界から、異物やゴミが侵入するおそれを低減することができる。
【００５８】
図１５から理解されるように、第１方向（第１方向）において第１シール部６１と第３シール部６３との間となる領域に、第１曲げ領域５１２ａが位置している。
【００５９】
また、第２枠縁部分５１２は、第１曲げ領域５１２ａよりも第１シール部６１寄りに配置された第２曲げ領域５１２ｂを有している。第２曲げ領域５１２ｂは、第１曲げ領域５１２ａと反対方向に向かって突出するように湾曲している。すなわち、第２曲げ領域５１２ｂは、第１方向において中央に位置する部分が表示面側から背面側に向かって凸状になるように湾曲している。
【００６０】
図１６は、曲面ディスプレイ１中のシール材６０と枠体５１０の平面図である。図１７は、図１６のＤ−Ｄの線で切断した断面図を示す。図１６及び図１７に示すように、第１枠縁部分５１１は、曲面ディスプレイ１の周縁で第１シール部６１に対応、より詳細には沿って位置し、第２枠縁部分５１２は、曲面ディスプレイ１の周縁で第２シール部６２に対応、より詳細には沿って位置し、第３枠縁部分５１３は、曲面ディスプレイ１の周縁で第３シール部６３に対応、より詳細には沿って位置し、第４枠縁部分５１４は、曲面ディスプレイ１の周縁で第４シール部６４に対応、より詳細には沿って位置している。その上、第１枠縁部分５１１、第２枠縁部分５１２、第３枠縁部分５１３、第４枠縁部分５１４は、それぞれ、平面視で曲面ディスプレイ１の周縁領域の一部を覆っている。とりわけ、第１枠縁部分５１１は、平面視で第１シール部６１と重なっており、第２枠縁部分５１２は、平面視で第２シール部６２と重なっており、第３枠縁部分５１３は、平面視で第３シール部６３と重なっており、第４枠縁部分５１４は、平面視で第４シール部６４と重なっている。各枠縁部分５１１〜５１４が平面視で対応するシール部６１〜６４と重なることにより、曲面ディスプレイ１の４隅から生じ得る光漏れを目立たなくさせることができる。
【００６１】
図１６に示す例では、第１枠縁部分５１１は、平面視で第１シール部６１を越えて曲面ディスプレイ１の中央側にはみ出しており、第２枠縁部分５１２は、平面視で第２シール部６２を越えて曲面ディスプレイ１の中央側にはみ出している。そして、平面視で第２枠縁部分５１２が第２シール部６２からはみ出た長さＬ２は、平面視で第１枠縁部分５１１が第１シール部６１からはみ出た長さＬ１とほぼ等しい。
【００６２】
図１７には、曲面ディスプレイ１の層構成が示されている。図１７に示すように、曲面ディスプレイ１は、曲面状に成形された前面板４００を有しており、前面板４００に接着剤４５０を介して表示パネル２が接着されている。このような構成によれば、表示パネル２を湾曲した状態で前面板４００に保持させることができる。
【００６３】
図１８は、図１７の変形例を示しており、枠体５１０における第２枠縁部分５１２が無い場合を示している。図１８に示す例では、本体部品５０１の枠体５１０は、曲面ディスプレイ１の周縁で第１シール部６１に沿って位置する第１枠縁部分５１１と、曲面ディスプレイ１の周縁で第３シール部６３に沿って位置する第３枠縁部分５１３と、を含み、第１枠縁部分５１１は、平面視で第１シール部６１と重なり、第３枠縁部分５１３は、平面視で第３シール部６３と重なっている。
【００６４】
図１９は、図１７に対応する断面において、第１曲げ領域５１２ａの配置の変形例を示している。図１９に示す例では、第２枠縁部分５１２は、第１曲げ領域５１２ａと、第１曲げ領域５１２ａよりも第１シール部６１から離間した領域に配置された平坦領域５１２ｃと、を有している。第１曲げ領域５１２ａは、曲面ディスプレイ１の中心Ｘ１よりも第１シール部６１寄りに位置している。より詳細には、第１曲げ領域５１２ａは、第１シール部６１から曲面ディスプレイ１の中心Ｘ１までの距離の半分よりも小さい距離だけ第１シール部６１から離れて位置している。なお、図１９に示す例においても、図１５に示す例のように、第２枠縁部分５１２が第２曲げ領域５１２ｂをさらに有し、第２曲げ領域５１２ｂが、第１曲げ領域５１２ａよりもディスプレイ側から離れた位置に配置されていても構わない。
【００６５】
図２０は、曲面ディスプレイ１の他の適用例を示すブロック図であり、図２１は、曲面ディスプレイ１のさらに別の適用例を示すブロック図である。本適用例に係る車載デバイス１０００としては、図２０、図２１に示すように、本発明に関する曲面ディスプレイ１００１と、車の外側に関する情報又は車の内側に関する情報１００６を第１の信号１００４として受信するユニット１００２と、第１の信号１００４を第２の信号１００５に変換するユニット１００３とを有し、ユニット１００３は、第２の信号１００５を曲面ディスプレイ１００１に送信することができる構成とする。なお、少なくとも、車載デバイス１０００は、本発明に関する曲面ディスプレイ１００１と、車の外側に関する情報又は車の内側に関する情報１００６に関する第２の信号１００５を曲面ディスプレイ１００１に送信するユニット１００３を有すればよい。つまり、より具体的には、曲面ディスプレイ１と、車の外側に関する情報又は車の内側に関する情報１００６としての第１の信号１００４を第２の信号１００５に変換するユニット１００３を有し、ユニット１００３は、第２の信号１００５を曲面ディスプレイ１に送信することができ、曲面ディスプレイ１は、第１方向における中央側が両端側より表示面側または背面側に突出するように湾曲して形成されている曲面状の表示パネル２と、表示パネル２の背面側に配置され、表示パネル２と同じ方向に向かって突出するように湾曲した形状を有する導光板３と、表示パネル２と３導光板との間で表示パネル２を背面側から支持する支持枠４ａをもつ保持フレーム４と、導光板３の背面側に配置された背面板５ａをもつ下フレーム５と、支持枠４ａと背面板５ａとの間に配置され、導光板３の両端部を保持するクッション部材７と、を備える、となる。なお、ユニット１００２は、図２０に示すように、車載デバイス１０００とは別の部品として構成されていても構わないし、図２１に示すように、車載デバイス１０００の一部として構成されていても構わない。
【００６６】
ここで、車の外側に関する情報１００６とは、前後方に位置する人もしくは物に関する位置情報（自分の車両から前後方に位置する人もしくは物までの距離情報、もしくは方向情報）である。または、車の外側に関する情報とは、気温、湿度、風速、もしくは、風向きなどの自然情報である。
【００６７】
ここで、車の内側に関する情報１００６とは、車内に位置する人もしくは物に関する位置情報（ある位置から車内に位置する人もしくは物までの距離情報、もしくは方向情報）である。または、車の内側に関する情報とは、車内の温度、または、湿度などの自然情報である。
【００６８】
ここで、ユニット１００２としては、温度センサ、湿度センサ、圧力センサ、赤外線センサ、ＴＯＦ（Ｔｉｍｅ  ｏｆ  Ｆｌｉｇｈｔ）センサ、イメージセンサ、角速度センサ、加速度センサなどの様々なセンサが適用可能である。
【００６９】
ここで、ユニット１００３としては、アナログ情報をデジタル情報に変換可能なユニットや、デジタル情報をアナログ情報に変換可能なユニットや、デジタル情報を別のデジタル情報に変換可能なユニットや、増幅回路などが考えられる。デジタル情報を別のデジタル情報に変換する方法としては、例えば、温度に関する情報であれば、温度センサとして機能するユニット１００２が温度をデジタル情報として検出した後に、曲面ディスプレイに数字として投影するためのデジタル情報に変換する方法などがある。
【００７０】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。
【符号の説明】
【００７１】
１  曲面ディスプレイ、２  表示パネル、３  導光板、４  保持フレーム、４ａ  支持枠、５  下フレーム、５ａ  背面板、６  上フレーム、７  保持部材、７ａ  溝、６０  シール材、６１  第１シール部、６２  第２シール部、６３  第３シール部、６４  第４シール部、１００  薄膜トランジスタ基板、１０１  ガラス基板、１０６  偏光板、２００  カラーフィルタ基板、２０１  ガラス基板、２０６  偏光板、３００  液晶層、４００  前面板、４５０  接着剤、５００  車載デバイス、５０１  本体部品、５０２  マウント部材、５０３  開口、５１０  枠体、５１１  第１枠縁部分、５１２  第２枠縁部分、５１２ａ  第１曲げ領域、５１２ｂ  第２曲げ領域、５１３  第３枠縁部分、５１４  第４枠縁部分、２００１  車両、２００２  車室内、２００５  電子ミラー装置、２００６  取付部、２００７  ＣＩＤ、２００８  クラスタ部、２００９  助手席者用ディスプレイ、２０１０  後部座席者用ディスプレイ、２０１１  広視野確保ディスプレイ。
【図１】
2017181819.tif 000003
【図２】
2017181819.tif 000004
【図３】
2017181819.tif 000005
【図４】
2017181819.tif 000006
【図５】
2017181819.tif 000007
【図６】
2017181819.tif 000008
【図７】
2017181819.tif 000009
【図８】
2017181819.tif 000010
【図９】
2017181819.tif 000011
【図１０】
2017181819.tif 000012
【図１１】
2017181819.tif 000013
【図１２】
2017181819.tif 000014
【図１３】
2017181819.tif 000015
【図１４】
2017181819.tif 000016
【図１５】
2017181819.tif 000017
【図１６】
2017181819.tif 000018
【図１７】
2017181819.tif 000019
【図１８】
2017181819.tif 000020
【図１９】
2017181819.tif 000021
【図２０】
2017181819.tif 000022
【図２１】
2017181819.tif 000023